(57)【要約】【課題】原画像の色の印象を変えることなく、かつ、確認し易いマーク画像を挿入できる撮像装置【解決手段】被写体の撮像結果として得られる撮像信号Ｓ１、Ｓ２を出力するとともに、撮像信号Ｓ１、Ｓ２に基づく表示用画像をビューファインダー部１０８に表示させる撮像装置において、輝度レベル比較部１０６は、撮像信号Ｓ１、Ｓ２に基づく撮像画像を形成する各画素の輝度レベルが、予め設定された上限及び下限の閾値の範囲内に存在するか否かを判定する。出力選択部１０７は、撮像画像を形成する各画素のうち、輝度レベル比較部１０６により閾値の範囲内に輝度レベルが存在すると判定された各画素について、当該各画素に相当するビューファインダー部１０８に表示されている表示用画像部分を、色彩が無彩色でかつ予め表示パターン及び表示タイミングが設定されたマーク画像に切り換えて表示させる。【選択図】図１
2008028519.tif 000002
【特許請求の範囲】
【請求項１】
被写体の撮像結果として得られる撮像信号を出力するとともに、当該撮像信号に基づく表示用画像を表示手段に表示させる撮像装置において、
前記撮像信号に基づく撮像画像を形成する各画素の輝度レベルが、予め設定された上限及び下限の閾値の範囲内に存在するか否かを判定する判定手段と、
前記撮像画像を形成する各前記画素のうち、前記判定手段により前記閾値の範囲内に輝度レベルが存在すると判定された各画素について、当該各画素に相当する前記表示手段に表示されている前記表示用画像部分を、色彩が無彩色でかつ予め表示パターン及び表示タイミングが設定されたマーク画像に切り換えて表示させる画像切換手段と
を備えることを特徴とする撮像装置。
【請求項２】
被写体の撮像結果として得られる撮像信号を出力するとともに、当該撮像信号に基づく表示用画像を表示手段に表示させる撮像装置において、
前記撮像信号に基づく撮像画像を形成する各画素の輝度レベルが、予め設定された上限及び下限の閾値の範囲内に存在するか否かを判定する判定手段と、
前記撮像信号から分離した色信号に対してホワイトバランス調整するホワイトバランス調整手段と、
前記撮像画像を形成する各前記画素のうち、前記判定手段により前記閾値の範囲内に輝度レベルが存在すると判定された各画素について、当該各画素に相当する前記表示手段に表示されている前記表示用画像部分を、予め表示パターン及び表示タイミングが設定されたマーク画像に切り換えて表示させる画像切換手段とを備え、
前記画像切換手段は、
前記表示手段に表示されている前記マーク画像を形成する各画素の色レベルを、前記ホワイトバランス調整手段により調整された白レベルに設定する
ことを特徴とする撮像装置。
【発明の詳細な説明】
【技術分野】
【０００１】
本発明は、撮像装置にかかわり、特にカラー画像を表示する画像表示部を備える撮像装置に関する。
【背景技術】
【０００２】
従来のビデオカメラは、図５に示すタイミングチャート例のように、入力輝度レベル信号が所定の範囲内にあるときは（図５（ａ）では７０％前後、図５（ｂ）では１００％）、所定の間隔（図５では４クロックごと）で、入力輝度レベル信号を所定の輝度レベル（図５では４０％）の値に置き換えた出力輝度レベル信号を出力することで、ビューファインダーに表示されている画像に、入力輝度レベル信号が所定の範囲内にあることを示すマーク画像として、図６の画像例に示す領域Ｚのような縞模様のゼブラパターンを表示している（例えば、特許文献１参照）。
このゼブラパターンにより、ビューファインダーを覗いたユーザが撮影画像の輝度分布を容易に把握できるようにしている。
【特許文献１】特開平１１−３１３２４４号公報
【発明の開示】
【発明が解決しようとする課題】
【０００３】
しかしながら、従来のゼブラパターンの挿入方法にあっては、輝度レベル信号のみを置き換えることでゼブラパターンを表示している。このため、色の彩度が大きい領域にゼブラパターンを挿入した画像をモノクロ表示しても、問題なかったが、カラー表示にすると、ゼブラパターンは輝度レベル信号のみを置き換えているために彩度は変わらず明度だけが変わり、挿入前の色と該色に黒味がかかった色との縞模様となり、挿入されたゼブラパターンが目立たないうえに、該領域の色がくすんだ印象を与えるため、撮影者にとって、ホワイトバランス調整の設定を意図した通りにすることが難しいという問題がある。
【０００４】
本発明は、このような事情に鑑みてなされたもので、その目的は、色の彩度が大きい領域にマーク画像を挿入したカラー画像を撮影者が目視確認しても、原画像の色の印象を変えることなく、かつ、確認し易いマーク画像を挿入できる撮像装置を提供することにある。
【課題を解決するための手段】
【０００５】
この発明は上述した課題を解決するためになされたもので、本発明の撮像装置は、被写体の撮像結果として得られる撮像信号を出力するとともに、当該撮像信号に基づく表示用画像を表示手段に表示させる撮像装置において、前記撮像信号に基づく撮像画像を形成する各画素の輝度レベルが、予め設定された上限及び下限の閾値の範囲内に存在するか否かを判定する判定手段と、前記撮像画像を形成する各前記画素のうち、前記判定手段により前記閾値の範囲内に輝度レベルが存在すると判定された各画素について、当該各画素に相当する前記表示手段に表示されている前記表示用画像部分を、色彩が無彩色でかつ予め表示パターン及び表示タイミングが設定されたマーク画像に切り換えて表示させる画像切換手段とを備えることを特徴とする。
【０００６】
また、本発明の撮像装置は、被写体の撮像結果として得られる撮像信号を出力するとともに、当該撮像信号に基づく表示用画像を表示手段に表示させる撮像装置において、前記撮像信号に基づく撮像画像を形成する各画素の輝度レベルが、予め設定された上限及び下限の閾値の範囲内に存在するか否かを判定する判定手段と、前記撮像信号から分離した色信号に対してホワイトバランス調整するホワイトバランス調整手段と、前記撮像画像を形成する各前記画素のうち、前記判定手段により前記閾値の範囲内に輝度レベルが存在すると判定された各画素について、当該各画素に相当する前記表示手段に表示されている前記表示用画像部分を、予め表示パターン及び表示タイミングが設定されたマーク画像に切り換えて表示させる画像切換手段とを備え、前記画像切換手段は、前記表示手段に表示されている前記マーク画像を形成する各画素の色レベルを、前記ホワイトバランス調整手段により調整された白レベルに設定することを特徴とする。
【発明の効果】
【０００７】
この発明によれば、色彩が無彩色のマーク画像を表示するので、カラー画像にて表示してもマーク画像に影響されて原画像の色を不自然な色として認識されないので、撮影者は、マーク画像を見落とすことなく、かつ、マーク画像を表示している領域を含めて原画像の色を正しく目視確認することができる。さらに、撮影者は原画像の色を正しく確認することができるので、マーク画像を表示していてもホワイトバランス調整の設定を容易にできる。
【発明を実施するための最良の形態】
【０００８】
以下、図面を参照して、本発明の実施の形態について説明する。図１は、この発明の一実施形態によるデジタルビデオカメラの構成を示す概略ブロック図である。
【０００９】
１０１は、被写体を撮像し、アナログ画像信号を出力するカメラ部である。
１０２は、カメラ部１０１が出力したアナログ画像信号を、赤、緑、青の３原色のデジタル画像信号に変換するＡ／Ｄ変換部である。
【００１０】
１０３は、Ａ／Ｄ変換部１０２が変換したデジタル画像信号を画像処理して、所謂ＹＣｒＣｂと呼ばれる信号形式である輝度レベル信号Ｓ１と色信号Ｓ２とに変換する画像処理部である。また、画像処理部１０３は、Ａ／Ｄ変換部１０２が変換したデジタル画像信号を輝度レベル信号と色信号に変換する前に、制御部１０５から入力された調整指示信号ＷＢに基づき各色成分の値の大きさを調整するホワイトバランス調整処理を行う。図示しない入力手段にて、ユーザが入力した値を制御部１０５が受けて、該値をこの調整指示信号ＷＢの値とすることで、ホワイトバランス調整処理により画像を、ユーザの好みの色味の画像に変更する、例えば、赤味がかかった画像に変更するといったことが可能である。
本実施形態では、画像処理部１０３がホワイトバランス調整手段として機能し、ホワイトバランス調整前は白色の画素のホワイトバランス調整後の色レベルが白レベルである。
【００１１】
１０４は、画像処理部１０３が変換した輝度レベル信号Ｓ１と色信号Ｓ２とを、磁気テープ、ハードディスク、光ディスクなどの媒体に記録する記録部である。
【００１２】
制御部１０５は、本デジタルビデオカメラ全体を制御する。制御部１０５は、画像処理部１０３には、調整指示信号ＷＢを出力し、輝度レベル比較部１０６には、輝度レベル上限値信号Ｓ５および輝度レベル下限値信号Ｓ６を出力し、出力選択部１０７には、ゼブラパターン輝度レベル設定値信号Ｓ３およびゼブラパターン色設定値信号Ｓ４を出力する。なお、制御部１０５は、図示しない入力手段にて、ユーザが入力した調整指示、輝度レベル上限値、輝度レベル下限値、ゼブラパターン輝度レベル設定値、ゼブラパターン色設定値を受け付け、これらの受け付けた値を、これらの出力する信号それぞれの値とする。
【００１３】
輝度レベル比較部１０６は、画像処理部１０３が変換した輝度レベル信号Ｓ１が、制御部１０５が出力した輝度レベル上限値信号Ｓ５と輝度レベル下限値信号Ｓ６との間にあるか否かを判定する。輝度レベル比較部１０６は、輝度レベル信号Ｓ１が、制御部１０５が出力した輝度レベル上限値信号Ｓ５と輝度レベル下限値信号Ｓ６との間にあると判定したときは、出力選択信号Ｓ７をゼブラパターンの挿入を指示する「ＯＮ」にして出力選択部１０７に出力する。
【００１４】
出力選択部１０７は、出力選択信号Ｓ７が「ＯＮ」のときは、一定間隔で、輝度レベル信号Ｓ１および色信号Ｓ２を、それぞれゼブラパターン輝度レベル設定値信号Ｓ３およびゼブラパターン色設定値信号Ｓ４に置き換えて、表示用輝度レベル信号Ｓ８および表示用色信号Ｓ９をビューファインダー部１０８に出力する。
本実施形態では、出力選択部１０７が画像切換手段として機能する。
【００１５】
ビューファインダー部１０８は、液晶ディスプレイなどの表示手段を備え、表示用輝度レベル信号Ｓ８および表示用色信号Ｓ９に基づきカラー画像を表示する。なお、ビューファインダー部１０８は、撮影中の画像を確認するための表示手段であればよく、ビューファインダーのように覗き込んで見ることで確認する表示手段ではなく、液晶モニタなどであってもよい。
本実施形態では、ビューファインダー部１０８が表示手段として機能し、ビューファンインダー部１０８に表示される画素の色レベルは、表示用色信号Ｓ９により決まる。
【００１６】
図２は、本実施形態による輝度レベル比較部１０６の構成を示す概略ブロック図である。１１１は、入力された輝度レベル上限値信号Ｓ５の値を記憶する輝度レベル上限値記憶部である。１１２は、入力された輝度レベル下限値信号Ｓ６の値を記憶する輝度レベル下限値記憶部である。
１１３は、入力された輝度レベル信号Ｓ１の値が、輝度レベル上限値記憶部１１１から読み出した輝度レベル上限値Ｓ２１（上限の閾値）以下であり、かつ、輝度レベル下限値記憶部１１２から読み出した輝度レベル下限値Ｓ２２（下限の閾値）を超えていることを判定条件とし、該判定条件が成立しているときは、出力選択信号Ｓ７を「ＯＮ」にして出力し、成立していないときは、出力選択信号Ｓ７を「ＯＦＦ」にして出力する比較部である。
本実施形態では、比較部１１３が判定手段として機能する。
【００１７】
図３は、本実施形態による出力選択部１０７の構成を示す概略ブロック図である。
１２１は、出力選択信号Ｓ７が「ＯＮ」のときは、所定の間隔で（本実施形態では４クロック毎（１クロックで１画素分の処理を行う）に「ＯＮ」と「ＯＦＦ」とを切り換えて出力し、出力選択信号Ｓ７が「ＯＦＦ」のときは、「ＯＦＦ」を出力するゼブラパターン発生部である。
１２２は、ゼブラパターン発生部１２１から「ＯＮ」を入力されると、ゼブラパターン輝度レベル設定値信号Ｓ３を表示用輝度レベル信号Ｓ８として出力し、「ＯＦＦ」を入力されると、輝度レベル信号Ｓ１を表示用輝度レベル信号Ｓ８として出力するスイッチ部である。
１２３は、ゼブラパターン発生部１２１から「ＯＮ」を入力されると、ゼブラパターン色設定値信号Ｓ４を表示用色信号Ｓ９として出力し、「ＯＦＦ」を入力されると、色信号Ｓ２を表示用色信号Ｓ９として出力するスイッチ部である。
本実施形態では、ゼブラパターン発生部１２１が所定の間隔で「ＯＮ」と「ＯＦＦ」とを切り換えることで、表示パターンおよび表示タイミングを生成し、ゼブラパターン輝度レベル設定値信号Ｓ３およびゼブラパターン色設定値信号Ｓ４に基づき表示される画像部分がマーク画像となる。
【００１８】
図４は、画像処理部１０３の出力である色信号Ｓ２と輝度レベル信号Ｓ１、および、出力選択部１０７の出力であり、ビューファインダー部１０８に表示される表示用色信号Ｓ９と表示用輝度レベル信号Ｓ８とのゼブラパターンを挿入する領域の画素に対応する信号を示すタイミングチャートである。図４におけるクロックＣは、画像処理部１０３、制御部１０５、輝度レベル比較部１０６、出力選択部１０７、ビューファインダー部１０８に供給されるクロックであり、各部は、このクロックＣの立ち上がり時に、１画素分の処理を同期して行う。
【００１９】
図４（ａ）は、制御部１０５が、調整指示信号ＷＢとしてホワイトバランス調整なしを出力し、輝度レベル上限値信号Ｓ５と輝度レベル下限値Ｓ６として、それぞれ「７５％」と「６５％」とを出力し、ゼブラパターン輝度レベル設定値信号Ｓ３とゼブラパターン色設定値信号Ｓ４とに、それぞれ「４０％」と「０ｘ８０」とを出力したときのタイミングチャートである。なお、ここで、制御部１０５が出力するゼブラパターン色設定値信号Ｓ４の値「０ｘ８０」は、無彩色を表す。
【００２０】
なお、ここで輝度レベル上限値信号Ｓ５と輝度レベル下限値信号Ｓ６とゼブラパターン輝度レベル設定値信号Ｓ３との値および図中の輝度レベル信号Ｓ１と表示用輝度レベル信号Ｓ８との値を、便宜的に「７５％」などと表記しているが、これらの値が８ビットで表され、「０」〜「２５５」の値をとるときは、例えば「０％」に「１６」、「１００％」に「２３５」を割り当て、「７５％」は「１８０」であることを表す。また、ゼブラパターン色設定値信号Ｓ４および図中の表示用色信号Ｓ９を、「０ｘ８０」などと表記しているが、これは、「１６進数の８０」、つまり、「１２８」であることを表す。
【００２１】
まず、制御部１０５が、上述のように輝度レベル上限値信号Ｓ５および輝度レベル下限値Ｓ６を出力すると、輝度レベル上限値記憶部１１１および輝度レベル下限値記憶部１１２には、それぞれ「７５％」と「６５％」とが格納される。また、制御部１０５が、上述のように調整指示信号ＷＢを出力すると、画像処理部１０３は、入力された画像を色信号Ｓ２と輝度レベル信号Ｓ１に変換して出力する。
【００２２】
時刻ｔａ１では、画像処理部１０３は、輝度レベル信号Ｓ１に「７０％」、色信号Ｓ２に任意の値Ｃｂ（Ｃｂは青成分の輝度レベル信号Ｓ１との色差を表す）を出力したとする。このとき、輝度レベル比較部１０６の比較部１１３は、入力された輝度レベル信号Ｓ１の値「７０％」が、輝度レベル上限値記憶部１１１の「７５％」以下であり、かつ、輝度レベル下限値記憶部１１２の「６５％」を超えているか否かを判定する。ここでは、判定条件が成立するので、比較部１１３は、出力選択信号Ｓ７として「ＯＮ」を出力する。さらに出力選択部１０７のゼブラパターン発生部１２１は、クロックＣの立ち上がりでカウントアップし、０〜７をサイクリックにカウントする内部に備えるカウンタの値が０〜３であり、かつ、出力選択信号Ｓ７が「ＯＮ」であるか否かを判定する。ここでは、カウンタの値が「０」であるとすると、上述したように比較部１１３が出力した出力選択信号Ｓ７は「ＯＮ」なので、判定条件は成立するので、ゼブラパターン発生部１２１は「ＯＮ」を出力する。
なお、このカウンタの値に応じてゼブラパターン発生部１２１から「ＯＮ」と「ＯＦＦ」とを出力することにより、ゼブラパターンの縞模様を生じさせている。
【００２３】
スイッチ部１２２は、ゼブラパターン発生部１２１から「ＯＮ」を受けると、入力された輝度レベル信号Ｓ１とゼブラパターン輝度レベル設定値信号Ｓ３とのうちから、ゼブラパターン輝度レベル設定値信号Ｓ３の値を表示用輝度レベル信号Ｓ８として出力する。ここでは、上述のように制御部１０５は、ゼブラパターン輝度レベル設定値信号Ｓ３として「４０％」を出力しているので、表示用輝度レベル信号Ｓ８の値も「４０％」となる。
【００２４】
スイッチ部１２３は、ゼブラパターン発生部１２１から「ＯＮ」を受けると、入力された色信号Ｓ２とゼブラパターン色設定値信号Ｓ４とのうちから、ゼブラパターン色設定値信号Ｓ４の値を表示用色信号Ｓ９として出力する。ここでは、上述のように制御部１０５は、ゼブラパターン色設定値信号Ｓ４として「０ｘ８０」を出力しているので、表示用色信号Ｓ９の値も「０ｘ８０」となる。
【００２５】
次に、時刻ｔａ２では、画像処理部１０３は、輝度レベル信号Ｓ１に「７０％」、色信号Ｓ２に任意の値Ｃｒ（Ｃｒは青成分の輝度レベル信号Ｓ１との色差を表す）を出力したとする。このとき、輝度レベル比較部１０６の比較部１１３は、時刻ｔａ１と同様にして、出力選択信号Ｓ７として「ＯＮ」を出力する。さらに出力選択部１０７のゼブラパターン発生部１２１は、カウンタの値が「１」となり、上述したように比較部１１３が出力した出力選択信号Ｓ７は「ＯＮ」なので、判定条件は成立し、ゼブラパターン発生部１２１は「ＯＮ」を出力する。
【００２６】
スイッチ部１２２は、時刻ｔａ１と同様にして、表示用輝度レベル信号Ｓ８として「４０％」を出力する。スイッチ部１２３は、時刻ｔａ１と同様にして、表示用色信号Ｓ９として「０ｘ８０」を出力する。
【００２７】
時刻ｔａ３および時刻ｔａ４においても、時刻ｔａ１および時刻ｔａ２と同様にして、出力選択部１０７のスイッチ部１２２とスイッチ部１２３は、それぞれ表示用輝度レベル信号Ｓ８として「４０％」を出力し、表示用色信号Ｓ９として「０ｘ８０」を出力する。ただし、ゼブラパターン発生部１２１のカウンタは、それぞれの時刻でカウントアップされて、時刻ｔａ４には「３」になる。
【００２８】
このように、時刻ｔａ１〜ｔａ４における出力選択部１０７の出力は、表示用輝度レベル信号Ｓ８の値と表示用色信号Ｓ９の値が、それぞれゼブラパターン輝度レベル設定値信号Ｓ３の値「４０％」とゼブラパターン色設定値信号Ｓ４の値「０ｘ８０」となる。ゼブラパターン輝度レベル設定値信号Ｓ３の値「４０％」は低い明度を表しており、ゼブラパターン色設定値信号Ｓ４の値「０ｘ８０」は無彩色を表しているため、これらの信号を受けたビューファインダー部１０８は、時刻ｔａ１〜ｔａ４のクロックに該当する４つの画素に暗い無彩色、つまり、濃いグレーを表示する。
【００２９】
次に、時刻ｔａ５では、画像処理部１０３は、輝度レベル信号Ｓ１に「７０％」、色信号Ｓ２に任意の値Ｃｂを出力したとする。このとき、輝度レベル比較部１０６の比較部１１３は、時刻ｔａ１〜ｔａ４と同様にして、出力選択信号Ｓ７として「ＯＮ」を出力する。出力選択部１０７のゼブラパターン発生部１２１は、カウンタの値が「４」となり、上述したように比較部１１３が出力した出力選択信号Ｓ７は「ＯＮ」なので、判定条件である、カウンタの値が０〜３であり、かつ、出力選択信号Ｓ７が「ＯＮ」であることが成立せず、「ＯＦＦ」を出力する。
【００３０】
スイッチ部１２２は、ゼブラパターン発生部１２１から「ＯＦＦ」を受けると、入力された輝度レベル信号Ｓ１とゼブラパターン輝度レベル設定値信号Ｓ３とのうちから、輝度レベル信号Ｓ１の値を表示用輝度レベル信号Ｓ８として出力する。ここでは、上述のように画像処理部１０３は、輝度レベル信号Ｓ１として「７０％」を出力しているので、表示用輝度レベル信号Ｓ８の値も「７０％」となる。
【００３１】
スイッチ部１２３は、ゼブラパターン発生部１２１から「ＯＦＦ」を受けると、入力された色信号Ｓ２とゼブラパターン色設定値信号Ｓ４とのうちから、色信号Ｓ２の値を表示用色信号Ｓ９として出力する。ここでは、上述のように画像処理部１０３は、色信号Ｓ２としてＣｂを出力しているので、表示用色信号Ｓ９の値もＣｂとなる。
【００３２】
時刻ｔａ６〜ｔａ８においても、時刻ｔａ５と同様にして、出力選択部１０７のスイッチ部１２２とスイッチ部１２３は、それぞれ表示用輝度レベル信号Ｓ８として「７０％」を出力し、表示用色信号Ｓ９としてＣｒまたはＣｂを出力する。ただし、ゼブラパターン発生部１２１のカウンタは、それぞれの時刻でカウントアップされて、時刻ｔａ８には「７」になる。
【００３３】
このように、時刻ｔａ５〜ｔａ８における出力選択部１０７の出力は、表示用輝度レベル信号Ｓ８の値と表示用色信号Ｓ９の値が、それぞれ輝度レベル信号Ｓ１と色信号Ｓ２と同一になり、これを受けたビューファインダー部１０８は、時刻ｔａ５〜ｔａ８のクロックに該当する４つの画素に、輝度レベル信号Ｓ１と色信号Ｓ２とからなる色、つまり、カメラ部１０１が撮影した画像の色を表示する。
【００３４】
時刻ｔａ９〜ｔａ１６においても、輝度レベル信号Ｓ１の値が「７０％」であり続けるため、時刻ｔａ９には、時刻ｔａ１と全く同一の動作をし、時刻ｔａ１０〜ｔａ１２には、時刻ｔａ２〜ｔａ４と同一の動作をし、時刻ｔａ１３〜ｔａ１６には、時刻ｔａ５〜ｔａ８と同一の動作をする。
これにより、ビューファインダー部１０８は、４画素ごとに、濃いグレーとカメラ部１０１が撮影した画像の色を交互に表するので、輝度レベル信号Ｓ１の値が「６５％」から「７５％」の間であれば、ゼブラパターンが表示される。
【００３５】
図４（ｂ）は、制御部１０５が、調整指示信号ＷＢとしてホワイトバランス調整なしを出力し、輝度レベル上限値信号Ｓ５と輝度レベル下限値Ｓ６として、それぞれ「１００％」と「９５％」とを出力し、ゼブラパターン輝度レベル設定値信号Ｓ３とゼブラパターン色設定値信号Ｓ４とに、それぞれ「４０％」と「０ｘ８０」とを出力したときのタイミングチャートである。
【００３６】
図４（ｂ）の場合も、図４（ａ）とはゼブラパターンを表示する輝度レベル信号Ｓ１の値の範囲が「１００％」以上である点が異なるが、ビューファインダー部１０８は、４画素ごとに、濃いグレーとカメラ部１０１が撮影した画像の色を交互に表示するので、ゼブラパターンが表示される。このとき、制御部１０５は、輝度レベル下限値Ｓ６として「１００％」を出力し、輝度レベル上限値信号Ｓ５として輝度レベル信号が取り得る最大値（例えば、「１０９％」）を出力する。
【００３７】
このように、制御部１０５が出力するゼブラパターン色設定値信号Ｓ４の値を、無彩色を表す「０ｘ８０」とし、ゼブラパターンを無彩色のグレーとカメラ部１０１が撮影した画像の色との縞模様とするため、本実施形態のビデオカメラは、ビューファインダー部１０８に、撮影した画像の色をくすませず、かつ、ゼブラパターンを目立つように表示することができる。
【００３８】
なお、制御部１０５が、調整指示信号ＷＢとして青味がかかるようにホワイトバランス調整を指示し、画像処理部１０３にて色信号Ｓ２のＣｂの値が「４」増え、Ｃｒの値が「４」減るように調整した場合、制御部１０５は、ゼブラパターン色設定値信号Ｓ４の値も、色信号Ｓ２がＣｂのときは「４」増やして「０ｘ８４」とし、色信号Ｓ２がＣｒのときは「４」減らして「０ｘ７ｃ）を出力する。このとき、制御部１０５は、画像の１ラインの区切り目を示す水平同期信号を基準にしてクロックＣをカウントすることにより、該タイミングのクロックＣの立ち上がり時の色信号Ｓ２がＣｂなのかＣｒなのかを判断することができるので、該判断に基づき、「０ｘ８４」と「０ｘ７ｃ」とから選択した値をゼブラパターン色設定値信号Ｓ４とする。
【００３９】
これにより、出力選択部１０７に入力されるゼブラパターン色設定値信号Ｓ４の値は、「０ｘ８４」と「０ｘ７ｃ」が交互に入れ替わる値となり、ゼブラパターンを表示する領域では、出力選択部１０７が出力する表示用色信号Ｓ９は、「０ｘ８４」と「０ｘ７ｃ」とを２回ずつ繰り返した後、元の色信号Ｓ２を４画素出力し、再度「０ｘ８４」と「０ｘ７ｃ」とを２回ずつ繰り返した後、元の色信号Ｓ２を４画素出力する。出力選択部１０７が出力する表示用輝度レベル信号Ｓ８は、ホワイトバランス調整なしのときと変わらない。このため、ビューファインダー部１０８は、４画素ごとに、青味がかかった濃いグレーとカメラ部１０１が撮影し、ホワイトバランス調整された画像の色を交互に表するので、ホワイトバランス調整により青味がかかった画面の印象を変えることなくゼブラパターンを表示することができる。
【００４０】
なお、この処理部３０は専用のハードウェアにより実現されるものであってもよく、また、この処理部３０はメモリおよびＣＰＵ（中央演算装置）により構成され、処理部３０の機能を実現するためのプログラムをメモリにロードして実行することによりその機能を実現させるものであってもよい。
【００４１】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４２】
本発明は、カラー表示にて撮影画像を確認する手段を備えたデジタルスチルカメラ、デジタルビデオカメラなどの撮像装置に用いて好適であるが、これらに限られるものではない。
【図面の簡単な説明】
【００４３】
【図１】この発明の一実施形態による撮像装置の構成を示す概略ブロック図である。
【図２】同実施形態における輝度レベル比較部１０６の詳細構成を示す概略ブロック図である。
【図３】同実施形態における出力選択部１０７の詳細構成を示す概略ブロック図である。
【図４】同実施形態における画像処理部１０３の出力した輝度レベル信号および色信号と出力選択部１０７の出力した色信号と輝度レベル信号とを示したタイミングチャートである。
【図５】従来の輝度レベル信号および色信号とゼブラパターン挿入後の輝度レベル信号と色信号とを示したタイミングチャートである。
【図６】従来のゼブラパターンの表示例である。
【符号の説明】
【００４４】
１０１…カメラ部
１０２…Ａ／Ｄ変換部
１０３…画像処理部
１０４…記録部
１０５…制御部
１０６…輝度レベル比較部
１０７…出力選択部
１０８…ビューファインダー部
１１１…輝度レベル上限値記憶部
１１２…輝度レベル下限値記憶部
１１３…比較部
１２１…ゼブラパターン発生部
１２２、１２３…スイッチ部
【図１】
2008028519.tif 000003
【図２】
2008028519.tif 000004
【図３】
2008028519.tif 000005
【図４】
2008028519.tif 000006
【図５】
2008028519.tif 000007
【図６】
2008028519.tif 000008